(57)【特許請求の範囲】
【請求項１】
床面に固定されるベース部と前記床面に立設された壁の壁面に対向し該壁面を保護するガード部とを一体に有するガード部材と、
前記ガード部材の前記ベース部と前記床面との間に介在して設けられる緩衝材と、
前記ベース部を前記床面に少なくとも前記壁面に対し離接する方向に相対移動可能に固定する可動固定手段と、を備え、
前記ガード部が前記壁面から所定間隔空いた状態で、前記ベース部が前記可動固定手段により前記床面に前記緩衝材を介して固定されることを特徴とする壁のガード構造。
【請求項２】
前記ガード部における前記壁面への対向面である内面に緩衝材が設けられていることを特徴とする請求項１に記載の壁のガード構造。
【請求項３】
前記ガード部の上端と前記壁面との間にカバー部材が設けられていることを特徴とする請求項１または２に記載の壁のガード構造。
【請求項４】
前記可動固定手段は、
前記ベース部に形成され、前記壁面に対して離接する方向に延びる長孔と、
前記長孔および前記緩衝材を通して前記床面にねじ込まれ、前記ベース部を前記床面に固定するねじ部材と、
を備えることを特徴とする請求項１〜３のいずれかに記載の壁のガード構造。
【発明の詳細な説明】
【技術分野】
【０００１】
本発明は、主にフォークリフトのフォークが壁に当たって壁が損傷することを防止するガード構造に関する。
【背景技術】
【０００２】
ビルや工場、倉庫等の建物において外壁や屋内の間仕切り壁等の壁を施工するにあたっては、複数の壁パネルを立てて順次接合しながら施工する構造が知られている（特許文献１，２等）。ところで、工場や倉庫等の屋内において、各種の資材や物品等をフォークリフトに載せて運搬することが行われており、運搬物を床に置く際には、フォークリフトのフォークを下降させ、運搬物を載せたパレットごと床に下ろしている。そのような荷下ろし作業を行うにあたっては、運搬物を壁に接近させて床に載置することが行われる場合があるが、その際に、下降させたフォークの先端が壁に当たってしまう場合がある。また、下降させたフォークの先端を壁に軽く接触させることで壁に最接近したことを認識し、荷下ろしする場合もある。
【０００３】
ここで、フォークが壁に直接当たることによって傷や変形等の不具合が壁に生じることを回避するため、下降時のフォークが当たる可能性がある壁面下部の領域に、フォークが壁パネル等の壁材に直接当たらないようにするガード構造を設けている。そのようなガード構造としては、強度の高い鋼板を壁面に重ねて壁面を覆ったものや、壁の下部をコンクリートで構成し、その上に壁材による壁を構築してコンクリートにフォークが当たるようにしたものがある。
【先行技術文献】
【特許文献】
【０００４】
【特許文献１】特開２００８−０１４０５２号公報
【特許文献２】特開２０１０−０９５９２６号公報
【発明の概要】
【発明が解決しようとする課題】
【０００５】
上記のように鋼板で壁面を覆うガード構造では、鋼板が壁材に重ねられて接触しているため、鋼板が受ける衝撃が壁材に伝わって鋼板とともに壁材がへこんだり変形したりすることが起こり、有効なものではなかった。また、壁の下部をコンクリートで構成したものでは、コンクリート上の壁材はフォークが当たらないが、間取りの変更等によって壁を撤去する場合にはコンクリートを床から除去する必要が生じ、手間がかかるという問題が生じる。
【０００６】
本発明は上記事情に鑑みてなされたものであり、フォークリフトのフォーク等が接触せず壁の変形や損傷が確実に防止されるとともに壁の撤去や移設にも柔軟に対応可能であり、さらに、ガード構造部材の変形や損傷を抑えることができる壁のガード構造を提供することを目的としている。
【課題を解決するための手段】
【０００７】
本発明の壁のガード構造は、床面に固定されるベース部と前記床面に立設された壁の壁面に対向し該壁面を保護するガード部とを一体に有するガード部材と、前記ガード部材の前記ベース部と前記床面との間に介在して設けられる緩衝材と、前記ベース部を前記床面に少なくとも前記壁面に対し離接する方向に相対移動可能に固定する可動固定手段と、を備え、前記ガード部が前記壁面から所定間隔空いた状態で、前記ベース部が前記可動固定手段により前記床面に前記緩衝材を介して固定されることを特徴とする。
【０００８】
本発明の可動固定手段による「ベース部を床面に対し相対移動可能に固定される」とは、例えばフォークリフトのフォークが上記ガード部材に衝突することによって当該ガード部材が大きな衝撃を受けた際に、その応力の大きさに応じてベース部が床に対して移動可能な状態に固定されるということである。また、本発明のガード部材は、例えばフォークリフトのフォークが衝突しやすい領域に設置されてフォークが壁に直接衝突することを防止するものであり、強度や剛性の高い鋼板等の金属板等が好適に用いられる。
【０００９】
本発明によれば、ガード部材のガード部によって壁が保護される。例えばフォークリフトのフォークがガード部に当たることでフォークは壁に直接当たらず、また、ガード部と壁との間に所定間隔が空いているためガード部が受けた衝撃が壁には伝わらない。その結果、壁の変形や損傷が確実に防止される。また、可動固定手段を着脱可能とすることで、ガード部材の撤去や移設が可能であり、したがって壁の撤去や移設に柔軟に対応可能である。
【００１０】
本発明では、ガード部の高さ方向中央部分、あるいはその中央よりも下方部分に、壁面に向かう方向に大きな衝撃を受けると、ガード部材全体が壁面に接近する方向にほぼ水平移動する応力を受けることになる。その場合、本発明では、可動固定手段が機能してベース部とともにガード部材全体が壁面に接近する方向に水平移動し、これによって受けた衝撃が吸収されて可動固定手段の変形や損傷、あるいはガード部材の変形が抑えられる。
【００１１】
また、ガード部の上部に、壁面に向かう方向に大きな衝撃を受けると、ガード部材全体がベース部を支点として壁面側に傾倒する応力を受けることになる。その場合、本発明では、ベース部と床面との間に介在する緩衝材が変形し、これによってガード部が受けた衝撃が吸収され、可動固定手段の変形や損傷、あるいはガード部材の変形が抑えられる。さらに、緩衝材の変形によっても吸収しきれない大きな衝撃をガード部が受けた場合には、可動固定手段が機能することで衝撃が吸収され、可動固定手段の変形や損傷、あるいはガード部材の変形が抑えられる。
【００１２】
本発明では、前記ガード部における前記壁面への対向面である内面に緩衝材が設けられている形態を含む。この形態によれば、壁面方向にガード部が傾倒したり移動したりしても、緩衝材が壁に接触し、壁にガード部が直接接触して傷付く等のおそれを回避することができる。
【００１３】
また、本発明では、前記ガード部の上端と前記壁面との間にカバー部材が設けられている形態を含む。この形態によれば、ガード部と壁面との間に塵埃等が入り込んだり、誤って物をガード部と壁面との間に落としたりする不具合を未然に防止することができる。
【００１４】
本発明の前記可動固定手段の具体的構成としては、前記ベース部に形成され、前記壁面に対して離接する方向に延びる長孔と、前記長孔および前記緩衝材を通して前記床面にねじ込まれ、前記ベース部を前記床面に固定するねじ部材とを備えたものが挙げられる。この形態によれば、例えば上記のようにガード部材が壁面方向に水平移動するように大きな衝撃を受けた場合、ねじ部材が床面に固定されている状態でベース部の水平移動が長孔によって許容される。その結果、ガード部材が受けた衝撃が吸収されて可動固定手段の変形や損傷、あるいはガード構造部材の変形が抑えられる。
【発明の効果】
【００１５】
本発明によれば、フォークリフトのフォーク等が接触せず壁の変形や損傷が確実に防止されるとともに壁の撤去や移設にも柔軟に対応可能であり、さらに、ガード部材を床面に固定する固定手段またはガード部材の変形や損傷を抑えることができる壁のガード構造が提供されるといった効果を奏する。
【図面の簡単な説明】
【００１６】
【図１】本発明の一実施形態に係るガード構造が適用された間仕切り壁の一部を示す斜視図である。
【図２】間仕切り壁を構成する壁パネルの接合構造を示す横断面図である。
【図３】一実施形態に係るガード構造を示す側断面図である。
【図４】ガード部材の床面への固定構造を示す（ａ）平面図、（ｂ）断面図である。
【図５】ガード部材が傾倒した状態を示す断面図である。
【発明を実施するための形態】
【００１７】
以下、図面を参照して本発明の一実施形態を説明する。
図１の１０Ａは、耐火断熱性を有する複数の壁パネル１０を接合してなる間仕切り壁である。図２は壁パネル１０の構成を示す断面図である。壁パネル１０は床スラブ１から上階スラブ２までの高さを有し、複数の壁パネル１０を横方向に接合して間仕切り壁１０Ａが構築される。図１に示すように、壁パネル１０の上下の端部は、それぞれ床スラブ１、上階スラブ２に対し断面Ｌ字状の一対のアングル３を介して固定され、これにより壁パネル１０は床スラブ１と上階スラブ２との間に直立状態で支持される。
【００１８】
図３に示すように、下側のアングル３はアンカーボルト４で床スラブ１に固定される。また、図示はしないが上側のアングル３も同様に上階スラブ２に固定される。壁パネル１０はこれらアングル３にタッピングビス等のビス５で固定される。壁パネル１０と床スラブ１との間、および壁パネル１０と上階スラブ２との間には、充填材１５が埋め込まれる。
【００１９】
［１］壁パネルの構成
図２に示すように、壁パネル１０は、２枚の金属板２０の間に芯材３０が挟まれた金属サンドイッチパネルであり、金属板２０の外面が壁面１０ａを構成する。金属板２０は、カラー鋼板、フッ素鋼板、塩ビ鋼板、ガルバリウム鋼板、ＳＵＳ等のステンレス板等であって、厚さが０．３５〜１．２ｍｍ程度のものが用いられる。
【００２０】
芯材３０は、不燃性および断熱性を備えた無機系繊維等からなる芯材材料を１２０〜２２０ｋｇ／ｍ３程度の高密度に圧縮成形して得たものであり、厚さは例えば１００〜２５０ｍｍの範囲から選択される。芯材３０の具体的な材料としては、例えば、製鉄プロセスで得られるガラス状の鉄炉スラグに石灰等を混合して高温で溶解し生成されるロックウールや、グラスウール等の無機系人造繊維等が挙げられる。芯材３０は金属板２０にウレタン樹脂系等の接着剤で接着される。壁パネル１０の全体寸法としては、例えば、幅：９００ｍｍ程度、高さ：１８００〜１２０００ｍｍ程度とされ、厚さは１００〜２５０ｍｍ程度とされる。
【００２１】
複数の壁パネル１０は、上下方向に延びる長手方向に沿った側端面どうしが接合され、これにより間仕切り壁１０Ａが構築される。図２に示すように、壁パネル１０の一方（図２で左側）の側端面には表裏の金属板２０が折り返されることにより凹部１１が形成され、この凹部１１の底面に長手方向に沿った凸条３１が形成されている。また、壁パネル１０の他方（図２で右側）の側端面には厚さを減じることで凸部１２が形成され、この凸部１２の端面に長手方向に沿った溝３２が形成されている。壁パネル１０の両方の側端面は芯材３０が露出しており、その芯材３０の厚さ方向中央部に、凸条３１および溝３２が形成されている。
【００２２】
複数の壁パネル１０は、凹部１１に凸部１２を嵌合させるとともに凸条３１に溝３２を嵌合させることで、横方向に接合される。充填材３５は、例えば厚さ１０〜１５ｍｍ程度のセラミックファイバーや生体溶解性繊維等が用いられる。上記充填材１５も充填材３５と同様の材料が用いられる。
【００２３】
［２］壁のガード構造
図１および図３に示すように、間仕切り壁１０Ａの手前側には、一実施形態に係るガード構造が設けられている。このガード構造は、ガード部材４０を主体とするもので、主にフォークリフトのフォークＦ（図３参照）から壁パネル１０を保護するために床面１ａに設けられている。
【００２４】
ガード部材４０は、必要な強度や剛性を有する厚さが例えば２．３〜３．２ｍｍ程度の亜鉛メッキ鋼板等からなる金属板を略Ｌ字状に折り曲げたもので、図３に示すように、床面１ａに固定されるベース部４１と、床面１ａに直立して立てられるガード部４５とを有している。ガード部材４０は、間仕切り壁１０Ａを保護する必要のある場所の床面１ａに、壁面１０ａから所定間隔を空けて設けられる。
【００２５】
ベース部４１とガード部４５とは直角を形成し、ベース部４１が間仕切り壁１０Ａの手前側に突出する状態に床面１ａに固定される。ベース部４１は、床面１ａとの間に緩衝材５０を介在させて固定される。緩衝材５０は適宜な緩衝機能を備えた材料をシート状に形成したものであり、材料としては、例えばブチルゴム等のゴム、あるいは紙を積層したもの等が挙げられるが、これらに限定はされない。
【００２６】
緩衝材５０の厚さは、例えば１０〜５０ｍｍ程度とされる。緩衝材５０は、ベース部４１と床面１ａとの間の全領域に設けてもよく、また、分割したものを間隔を空けて配置してもよい。ベース部４１は、床面１ａとの間に緩衝材５０を挟んで可動固定手段６０により床面１ａに固定される。この固定状態で、ガード部材４０は、ガード部４５が壁面１０ａとの間に所定間隔（例えば５０ｍｍ前後）を空けて平行な状態に設けられる。
【００２７】
可動固定手段６０によるベース部４１の床面１ａへの固定箇所は一定間隔をおいて設定される。図４に示すように可動固定手段６０は、ベース部４１自体と、ベース部４１に形成された長孔４１１と、ワッシャ６１と、アンカーボルト（ねじ部材）６２とから構成される。
【００２８】
長孔４１１は、ベース部４１に、壁面１０ａに対する離接方向、すなわち壁面１０ａに向かって前後方向に延びる状態に形成されている。長孔４１１は、アンカーボルト６２が挿通可能な幅を有し、アンカーボルト６２の径の数倍程度の長さを有している。ワッシャ６１は長方形状に形成されたもので長孔４１１を覆う程度の大きさを有し、その中心に、アンカーボルト６２の径よりも僅かに大きい円形状のボルト挿通孔６１１が形成されている。
【００２９】
ベース部４１の上面に長孔４１１を覆う状態にワッシャ６１を重ね、ボルト挿通孔６１１を長孔４１１の中央部に合わせ、ボルト挿通孔６１１、長孔４１１、緩衝材５０にアンカーボルト６２を通し、そのアンカーボルト６２を床スラブ１にねじ込むことで、ベース部４１がワッシャ６１とともに床スラブ１に固定される。
【００３０】
ワッシャ６１はアンカーボルト６２の締結力に耐え得る強度および剛性を有するものが用いられ、例えばガード部材４０と同じ材質および任意の厚さの板材が用いられる。なお、本実施形態ではワッシャ６１は長方形状であるが、長孔４１１を覆うものであればワッシャ６１の形状は任意である。また、緩衝材５０は、可能であれば施工時にアンカーボルト６２が貫通され、貫通が困難な材料であればアンカーボルト６２が貫通する孔を予め設けておく。
【００３１】
本実施形態では、ガード部材４０のガード部４５における壁面１０ａへの対向面、すなわち内面４５１に、緩衝材７０が接着等の手段によって設けられている。この緩衝材７０はガード部４５が壁面１０ａに直接接触することを防ぐもので、内面４５１のほぼ全面に設けられていてもよく、また、その機能が果たされれば必要箇所に部分的に配設されていてもよい。緩衝材７０は、例えば上記緩衝材５０と同様の材料を用いることができ、また、異なる適宜な材料によって形成されたものでもよい。
【００３２】
本実施形態では、ガード部材４０のガード部４５の上端と壁面１０ａとの間に笠木（カバー部材）８０が設けられている。笠木８０は例えば弾性を有する薄い金属板等からなるもので、図３に示すように、壁面１０ａに沿った固定部８１から手前側（ガード部４５側）に向かうにしたがって下り傾斜に傾斜部８２が形成され、傾斜部８２の先端にガード部４５の外面側に配される屈曲部８３を有しており、固定部８１がリベット８５によって壁パネル１０に固定されている。この笠木８０によってガード部４５と壁面１０ａとの間の空間の上方が覆われている。また、図示は省略するが、笠木８０で覆われた空間の側方、すなわち笠木８０、ガード部４５および壁面１０ａによって区画される空間の側方の開口には、その空間を塞ぐサイドカバーが設けられる。
【００３３】
［３］実施形態の作用効果
本実施形態のガード構造によれば、ガード部材４０のガード部４５によって間仕切り壁１０Ａが保護される。例えばフォークリフトのフォークＦがガード部４５に当たることでフォークＦは壁パネル１０に直接当たらず、また、ガード部４５と壁面１０ａとの間に所定間隔が空いているためガード部４５が受けた衝撃が壁パネル１０には伝わらない。その結果、壁パネル１０の変形や損傷が確実に防止される。
【００３４】
フォークリフトのフォークＦから壁パネル１０を保護する上では、フォークＦを下降させて荷下ろしを行う時に壁パネル１０に衝突させやすいため、ガード部４５の高さ範囲を例えば床面１ａから１００〜８００ｍｍに設定すると、下降状態のフォークＦの先端の高さ位置を十分カバーできるため有効である。
【００３５】
また、フォークリフトのフォークＦから強い衝撃を受けた場合には、次のような作用が起こる。まず、ガード部４５の高さ方向中央部分、あるいはその中央よりも下方部分に、壁面１０ａに向かう方向に大きな衝撃を受けると、ガード部材４０全体が壁面１０ａに向かいほぼ水平移動する応力を受けることになる。その場合、可動固定手段６０が機能してベース部４１とともにガード部材４０全体が壁面１０ａに接近する方向に水平移動する。すなわち、アンカーボルト６２が床面１ａに固定されて不動でありながら、ベース部４１の水平移動が長孔４１１によって許容される。その結果、ガード部材４０全体が壁面１０ａ方向に動き、これによってフォークＦから受けた強い衝撃が吸収される。その結果、アンカーボルト６２の変形や損傷、あるいはアンカーボルト６２が床スラブ１から抜けるといった不具合や、ガード部材４０自体の変形や損傷が抑えられる。
【００３６】
また、ガード部４５の上部に、壁面１０ａに向かう方向に強い衝撃を受けると、図５に示すように、ガード部材４０全体がベース部４１を支点として壁面１０ａ側に傾倒する（矢印Ｂで示す）応力を受けることになる。その場合には図５に示すようにベース部４１と床面１ａとの間に介在する緩衝材５０が潰れて変形し、これによってガード部４５が受けた衝撃が吸収される。その結果、アンカーボルト６２の変形や損傷、あるいはアンカーボルト６２が床スラブ１から抜けるといった不具合の発生や、ガード部材４０自体の変形や損傷が抑えられる。さらに、緩衝材５０の変形によっても吸収しきれない大きな衝撃をガード部４５が受けた場合には、可動固定手段６０が機能することで衝撃が吸収される。すなわち、受けた衝撃の応力に応じてベース部４１が長孔４１１に沿って動き、これによって衝撃が吸収される。
【００３７】
次に、本実施形態の間仕切り壁１０Ａを構成する各壁パネル１０は、アンカーボルト４を抜いたり切断したりすることで撤去や移設が可能である。そして、ガード部材４０はアンカーボルト６２を抜いたり切断したりすることで着脱可能なものである。したがって間仕切り壁１０Ａを撤去あるいは移設する必要が生じた際にはガード部材４０を同様に撤去あるいは移設することができる。すなわち間仕切り壁１０Ａの撤去や移設に対し柔軟に対応可能である。
【００３８】
本実施形態では、ガード部４５の内面４５１に緩衝材７０が設けられているため、壁面１０ａ方向にガード部４５が傾倒したり移動したりした場合には緩衝材７０が壁パネル１０に接触する。このため、壁パネル１０にガード部４５が直接接触して傷付く等のおそれが回避される。
【００３９】
また、本実施形態では、ガード部４５の上端と壁面１０ａとの間に笠木８０が設けられているため、ガード部４５と壁面１０ａとの間に塵埃等が入り込んだり、誤って物をガード部４５と壁面１０ａとの間に落としたりする不具合を未然に防止することができる。また、上記したサイドカバーにより、ガード部材４０と壁面１０ａとの間の空間に側方から塵埃等が侵入することが防止される。
【００４０】
［４］他の実施形態等
上記実施形態のガード部材４０の特にガード部４５には、キーストンプレート、角波板、コルゲートプレート等の凹凸加工された鋼板等を採用することができる。
【００４１】
上記実施形態の間仕切り壁１０Ａは、金属サンドイッチからなる壁パネル１０を壁材としているが、壁材としては、木製パネル、断熱性パネル、ＡＬＣ（Autoclaved Light-weight Concrete）パネルと呼ばれる軽量気泡コンクリートパネル、軽量セメント成型パネル等の壁パネルや、石膏ボード等が挙げられる。これら壁材は上記実施形態の壁パネル１０と同様にアングル等で床面１ａに固定することができるため撤去や移設が可能であり、よって本発明のガード構造を好適に採用することができる。
【産業上の利用可能性】
【００４２】
本発明は、フォークリフトが使用される倉庫や工場等の間仕切り壁等に適用することができる。
【符号の説明】
【００４３】
１…床スラブ、１ａ…床面、１０…壁パネル、１０ａ…壁面、１０Ａ…間仕切り壁、４０…ガード部材、４１…ベース部、４１１…長孔、４５…ガード部、４５１…ガード部の内面、５０…緩衝材（床側）、６０…可動固定手段、６２…アンカーボルト（ねじ部材）、７０…緩衝材（ガード部の内面側）、８０…笠木（カバー部材）、Ｆ…フォークリフトのフォーク。
【図１】
0006635833.tif 000002
【図２】
0006635833.tif 000003
【図３】
0006635833.tif 000004
【図４】
0006635833.tif 000005
【図５】
0006635833.tif 000006